【手続補正書】
【提出日】平成30年7月27日(2018.7.27)
【手続補正１】
【補正対象書類名】特許請求の範囲
【補正対象項目名】全文
【補正方法】変更
【補正の内容】
【特許請求の範囲】
【請求項１】
ビリヤードテーブル面を照明する照明装置であって、
前記ビリヤードテーブル面上方に１つ以上のライトを支持するように構成されたフレームであって、前記１つ以上のライトは、前記ビリヤードテーブル面に略均一な照度を提供する構成において前記フレームに搭載された１つ又は複数の光源を備える、フレームと、
前記ビリヤードテーブル面の上方に搭載されたとき、前記ビリヤードテーブル面の中央部分に対応する前記フレームの中央部分に亘って掛かる中央フレーム部であって、前記フレームの中央部分は、前記ビリヤードテーブル面の画像の記録を対象とする中央カメラを支持するように構成される、中央フレーム部と、
前記中央カメラによって記録された前記画像を受信するため、動作可能に通信を行う処理装置と、を備え、
前記処理装置は、前記中央カメラによって記録された前記画像に基づいて、前記ビリヤードテーブル面上のボールが移動中又は非移動中であるかを判定し、少なくとも部分的にボールが移動中又は非移動中のいずれかであることに基づき、前記照明装置の設定を自動制御するように構成される、照明装置。
【請求項２】
前記処理装置は、前記ビリヤードテーブル面上のボールが非移動中である旨の判定に応じて、前記中央カメラからの画像の記録又は提供を停止するように構成される、請求項１に記載の照明装置。
【請求項３】
前記ビリヤードテーブル面の上方に搭載されたとき、前記ビリヤードテーブル面のヘッド端部又はフット端部に対応する前記フレームの端部をさらに備え、
前記フレームの前記端部は、前記ビリヤードテーブル面の少なくとも一部と、端部カメラが搭載されるのと反対側における前記ビリヤードテーブル面のヘッド端部又はフット端部を包囲する領域と、の画像を記録することを対象とする前記端部カメラを支持するように構成される、請求項１又は２に記載の照明装置。
【請求項４】
前記フレームに支持される動きセンサをさらに備え、
前記処理装置は、動きの検出に応じて前記照明装置の設定を自動制御するために、前記動きセンサに対して動作可能に通信を行う、請求項１〜３のいずれか一項に記載の照明装置。
【請求項５】
前記処理装置は、前記動きセンサが閾値期間中に動き検出に失敗したことに応じて、前記複数のライトを自動オフするように構成される、請求項４に記載の照明装置。
【請求項６】
前記処理装置は、マイクロフォンによって取得された音声をモニタすることにより、ビリヤードボールを打つキューの性質を有するストライク音を検出し、前記ストライク音の検出に応じて、前記照明装置の設定を自動制御するように構成される、請求項１〜５のいずれか一項に記載の照明装置。
【請求項７】
前記処理装置は、前記ストライク音の検出に応じて、前記フレームの前記中央フレーム部分に搭載された前記中央カメラから画像の記録又は提供を開始するように構成される、請求項６に記載の照明装置。
【請求項８】
前記処理装置は、前記ビリヤードテーブル面及び／又は前記ビリヤードテーブル面を包囲する領域の画像を撮影するために配された１つ以上のカメラから画像を提供するように、ユーザ通信装置と通信を行うように構成される、請求項１〜７のいずれか一項に記載の照明装置。
【請求項９】
前記処理装置は、前記画像の記憶又は前記画像の前記ユーザ通信装置への提供を調整するために、前記１つ以上のカメラのうちの少なくとも２つのカメラと通信を行うように構成される、請求項８に記載の照明装置。
【請求項１０】
前記処理装置は、第１の動きセンサからの動きの検出に応じて、第１のカメラから画像を提供し、第２の動きセンサからの動きの検出に応じて、第２のカメラから画像を提供するように構成される、請求項９に記載の照明装置。
【請求項１１】
前記処理装置は、前記ストライク音の検出に応じて、前記中央カメラから画像を記憶又は提供し、前記ビリヤードテーブル面上のボールが非移動中である旨の検出に応じて、前記第１のカメラ又は前記第２のカメラから画像を記憶又は提供するように構成される、請求項１０に記載の照明装置。
【請求項１２】
ビリヤードゲームプレイの画像を後の再生又は同時再生のために記憶又は提供する方法であって、
中央カメラからビリヤードテーブル面の全体の動画を撮影することと、
前記ビリヤードテーブル面の少なくとも一部と前記ビリヤードテーブル面の一部を包囲する領域との側方／端部カメラによる動画を撮影することと、
前記ビリヤードテーブル面上でのボールの動きの検出に応じて、前記中央カメラから動画を記憶又は提供することと、
前記ビリヤードテーブル面上でのボールの動きの停止を検出することと、
前記ビリヤードテーブル面上でのボールの動きの停止の検出に応じて、
前記中央カメラからの動画の記憶又は提供を停止することと、
前記側方／端部カメラから動画を記憶又は提供することと、
を備える、方法。
【請求項１３】
ビリヤードボールを打つキューの性質を有するストライク音を検出することと、
前記ストライク音の検出に応じて、
前記側方／端部カメラからの動画の記憶又は提供を停止することと、
前記中央カメラから動画を記憶又は提供することと、
をさらに備える、請求項１２に記載の方法。
【請求項１４】
前記側方／端部カメラで動画を撮影することは、
前記ビリヤードテーブル面の第１の部分と前記ビリヤードテーブル面の一部を包囲する第１の領域との第１の側方／端部カメラで動画を撮影することと、
前記ビリヤードテーブル面の第２の部分と前記ビリヤードテーブル面の一部を包囲する、前記第１の領域とは異なる第２の領域との第２の側方／端部カメラで動画を撮影することと、をさらに備え、
前記第１の領域及び前記第２の領域は、少なくとも部分的に異なり、
前記方法は、
前記ビリヤードテーブル面を包囲する前記第１の領域及び前記第２の領域からの動きをモニタリングすることと、
前記ビリヤードテーブル面上のボールの動きの停止を検出している間、
前記第１の領域からの動きの検出に応じて、前記第２の側方／端部カメラからの動画の記憶又は提供を停止し、前記第１の側方／端部カメラから動画を記憶又は提供することと、
前記第２の領域からの動きの検出に応じて、前記第１の側方／端部カメラからの動画の記憶又は提供を停止し、前記第２の側方／端部カメラから動画を記憶又は提供することと、
をさらに備える、請求項１２又は１３に記載の方法。
【請求項１５】
略均一な照度で前記ビリヤードテーブル面を照明することをさらに備える、請求項１２〜１４のいずれか一項に記載の方法。
【請求項１６】
前記略均一な照度で前記ビリヤードテーブル面を照明することは、前記ビリヤードテーブル面の上方でフレームに支持された１つ以上のライトから略均一な照度を生じる照明を提供することを備える、請求項１５に記載の方法。
【請求項１７】
前記照明を提供することは、光源が前記ビリヤードテーブル面の中央部分の略直上に配置されないように非中心部に配置される１つ以上のライトから照明を提供することを備える、請求項１６に記載の方法。
【請求項１８】
複数のビデオカメラから同時に記録したビリヤードゲームプレイの動画を作成する方法であって、
同一の時間間隔で非同期的に別のカメラに個々に関連付けられ、互いとの通信に共有メモリリソース及びイベント終了フラグを使用する、少なくとも３つの独立した撮像スレッドを作動することと、
前記少なくとも３つの独立したスレッドで非同期的に前記別のカメラから個々の画像フレームを取得することと、
前記別のカメラのうちの与えられたカメラからの前記個々の画像フレームを比較することにより、前記個々の画像フレームのうちのいずれかが前記別のカメラの各々からの各自記録シーケンスにおける動きを記録中であるかを判定するために、前記別のカメラから撮影した前記個々の画像フレームの画像解析を実施することと、
前記別のカメラのいずれかが動きを記録しているかに基づき、選択フレームを選択、表示、及び単一の動画メモリに保存することと、
特定の時間間隔で、前記ビリヤードゲームプレイの動画ファイル内に前記選択フレームを記録することと、を備え、
前記動画フレーム内に記録された前記選択フレームは、前記単一の動画メモリ内においてその瞬間に存在するすべてを備える、方法。
【請求項１９】
前記選択フレームを選択、表示、及び前記単一の動画メモリ内に保存することは、前記ビリヤードテーブル面全体を含む視野を備えた中央カメラによって撮影された動きの判定に応じて、前記カメラから画像フレームのみを選択、表示、及び保存することを備える、請求項１８に記載の方法。
【請求項２０】
前記選択フレームを選択、表示、及び前記単一の動画メモリ内に保存することは、前記ビリヤードテーブル面全体を含む視野を備えた前記中央カメラによって撮影されたビリヤードボールの動きがない旨の判定に応じて、前記ビリヤードテーブル面の少なくとも一部と前記ビリヤードテーブル面の一部を包囲する領域とのビューを前記中央カメラからの画像とともに写真画像内の縮小写真として撮影するように構成された側方／端部カメラからの画像フレームを選択、表示、及び保存することを備える、請求項１９に記載の方法。
【請求項２１】
前記選択フレームを選択、表示、及び前記単一の動画メモリ内に保存することは、前記ビリヤードテーブル面の少なくとも一部と前記ビリヤードテーブル面の一部を包囲する異なる領域とのビューを撮影するように各々構成された２つ以上の側方／端部カメラのうちの１つによって撮影された、より多くの動きの判定に応じて、より多くの動きを撮影する側方／端部カメラからの画像フレームを前記中央カメラからの画像とともに写真画像中の縮小写真として選択、表示、及び保存することを備える、請求項２０に記載の方法。